(57)【要約】【課題】フォトフレームのような静止画像を表示する表示機能の利便性を向上することができる表示システム及び表示方法を提供する。【解決手段】画像を保持する不揮発性メモリと、前記不揮発性メモリから得られる画像の映像信号をディスプレイへ出力する出力手段と、前記画像に関する説明データを外部から取得する取得手段と、前記説明データに対応する説明画像を作成し、前記画像にこの説明画像を重ねる表示制御処理を行う表示制御手段とを備えることを特徴とする映像信号処理装置。【選択図】  図１０
2015039046.tif 000002
【特許請求の範囲】
【請求項１】
画像を保持する不揮発性メモリと、
前記不揮発性メモリから得られる画像の映像信号をディスプレイへ出力する出力手段と、
前記画像に関する説明データを外部から取得する取得手段と、
前記説明データに対応する説明画像を作成し、前記画像にこの説明画像を重ねる表示制御処理を行う表示制御手段とを
備えることを特徴とする映像信号処理装置。
【請求項２】
前記取得手段は前記画像に関する説明データを放送波またはインターネットから取得することを特徴とする請求項１に記載の映像信号処理装置。
【請求項３】
前記表示制御手段は外部からユーザーによって指定される表示情報の位置、サイズ、および透過度の少なくとも１つを独自の表示情報設定に従って設定することを特徴とする請求項１に記載の映像信号処理装置。
【請求項４】
更に、前記映像信号を表示するディスプレイを備えることを特徴とする請求項１に記載の映像信号処理装置。
【請求項５】
画像を保持する不揮発性メモリを用いる映像信号処理装置の表示方法であって、
前記不揮発性メモリから得られる画像を表示し、
前記画像に関する説明データを外部から取得し、
前記説明データに対応する説明画像を作成し、前記画像にこの説明画像を重ねる表示制御処理を行うことを特徴とする表示方法。
【発明の詳細な説明】
【技術分野】
【０００１】
本発明は、例えば静止画像をフォトフレームとして表示する映像信号処理装置および表示方法に関する。
【背景技術】
【０００２】
近年では、テレビ受信装置の多機能化が進んでいる。これに伴い、例えばフォトビューア機能がテレビ受信装置に設けられている。このフォトビューア機能は、テレビ受信装置に対して接続状態にあるポータブルメモリ等の外部メモリに保持される様々なフォト画像を閲覧するために利用される (例えば、特許文献１を参照)。
【０００３】
また、フォトフレーム機能がテレビ受信装置に設けられることもある。このフォトフレーム機能は、テレビ受信装置の内部メモリに予め登録されるお気に入りフォト画像をフォトフレームとして表示するために利用される。テレビ受信装置の内部メモリが複数のお気に入りフォト画像を登録結果として保持する場合には、これらフォト画像がフォトフレームとして順次表示される。
【０００４】
ちなみに、少なくとも１つのお気に入りフォト画像が内部メモリに対して登録済であれば、フォトビューア機能で必要とされるような格納フォルダや表示画像の指定を省略し、フォトフレーム表示を速やかに開始できる。このフォトフレーム表示の際、予めメモリ等に記憶させておいたお気に入りの音楽をＢＧＭとして再生できる設定としておけば、お気に入りの音楽とお気に入りフォト画像を同時に楽しむことができ、また無音声であれば、フォトフレーム機能はテレビ受信装置において放送番組の音声をミュートする音声ミュート機能の代わりとしても利用できる。
【０００５】
ところでフォト画像に関する情報を表示することは一般的に行われてきていなかった。例えばフォト画像に関する情報は装置に同梱された冊子を閲覧するなどの必要があり、利便性が低いという問題があった。
【先行技術文献】
【特許文献】
【０００６】
【特許文献１】特開平１１−２７５５０３号公報
【発明の概要】
【発明が解決しようとする課題】
【０００７】
本発明は、フォトフレームのような静止画像を表示する表示機能の利便性を向上することができる表示システム及び表示方法を提供することを目的とする。
【課題を解決するための手段】
【０００８】
上記課題を解決するために、本発明の映像信号処理装置は、画像を保持する不揮発性メモリと、前記不揮発性メモリから得られる画像の映像信号をディスプレイへ出力する出力手段と、前記画像に関する説明データを外部から取得する取得手段と、前記説明データに対応する説明画像を作成し、前記画像にこの説明画像を重ねる表示制御処理を行う表示制御手段とを備えることを特徴とする。
【発明の効果】
【０００９】
本発明によれば、フォトフレームのような静止画像を表示する表示機能の利便性を向上することができる表示システム及び表示方法が得られる。
【図面の簡単な説明】
【００１０】
【図１】本発明の一実施形態に係わるテレビ受信装置の構成を概略的に示すブロック図。
【図２】図１に示すリモコンに設けられる様々な操作キーを示す図。
【図３】図１に示すマイクロプロセッサにより行われるコマンド処理を示すフローチャート。
【図４】図３に示すコマンド処理で得られる表示画面の遷移を示す図。
【図５】図３に示すフォトフレーム表示処理を詳しく示すフローチャート。
【図６】図５に示すアナログ時計画像合成処理を詳しく示すフローチャート。
【図７】図５に示すカレンダ画像合成処理を詳しく示すフローチャート。
【図８】図５に示す天気予報画像合成処理を詳しく示すフローチャート。
【図９】図５に示すアナログ時計画像合成処理を詳しく示すフローチャート。
【図１０】実施形態に用いられる絵画説明文表示イメージを示す説明図。
【発明を実施するための形態】
【００１１】
まず以下に、添付図面を参照して本発明の一実施形態に係わるテレビ受信装置について説明する。
図１は、本発明の一実施形態に係るテレビ受信装置の構成を概略的に示している。このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１２】
ＢＳ、ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１３】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１４】
このテレビ受信装置は、更に、信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００１５】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカ２２に適合させる音量調整等の変換を行う。スピーカ２２は、音声処理部２１から出力された音声信号に対応する音声を再生する。
【００１６】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図１に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１７】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報，天気，占い等基礎データをネットワークから取得する場合は、ネットワーク通信回路２９から、それぞれマイクロプロセッサ１０に取り込まれる。
【００１８】
不揮発性メモリとしてのフラッシュメモリ２６には、予め製造側においてテレビ受信装置の出荷段階でＢＧＭ(プリインストールＢＧＭ）及びこのＢＧＭを再生するために利用される様々な登録情報を格納しておいてもよい。
【００１９】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、例えばフォトビューア機能やフォトフレーム機能を実現するために、ＵＳＢコネクタ２７に接続されるＵＳＢメモリやカードコネクタ２８に接続されるメディアカードにファイルとして保持される１または複数のフォト画像を取り込み、信号処理部１６、グラフィック処理部１７、及び映像処理部１９での処理を経て各フォト画像をディスプレイ２０に表示させる制御を行えるように構成されている。フォトフレーム機能は、フォトフレームモードにおいて行われるテレビ受信装置の動作により実現される。フォトフレームモードでは、ユーザーがＵＳＢメモリやフォト画像メディアカードに保持される１または複数のフォト画像からお気に入りフォト画像を例えばリモコン２５の操作或いは操作パネル２３の操作により選択し、マイクロプロセッサ１０がこのお気に入りフォト画像をフラッシュメモリ２６に登録する。この登録後において、マイクロプロセッサ１０は、お気に入りフォト画像をフォトフレームとしてディスプレイ２０に表示させ、さらに付加情報画像をフォトフレームに重ねて表示するためにＯＳＤ信号生成部１８等の制御を行う。ここで、マイクロプロセッサ１０、信号処理部１６、グラフィック処理部１７、ＯＳＤ信号生成部１８及び映像処理部１９は、フォトフレームモードにおいてフォトフレームに対する付加情報の基礎データを取得し、この基礎データに対応する付加情報を表すように付加情報画像を合成し、表示されたフォトフレームに付加情報画像を重ねる表示制御処理を独自の付加情報設定に従って行う表示制御モジュールを構成する。
【００２０】
なお図２は、リモコン２５に設けられる様々な操作キーを示す。ユーザーは、メインメニューキー５０やクイックメニューキー５１の操作によりディスプレイ２０上に選択肢を表示させ、続いて上下左右の方向キー５２の操作により選択肢を選択し、決定キー５３の操作により選択結果を確定させる。また、戻るキー５４は画面を戻すために操作され、終了キー５５は、操作の終了通知として操作される。チャネルキー５６は、放送波の選択やフォトフレーム表示をキャンセルするために操作される。左右の方向キー５２はそれぞれ、逆再生と再生のキーとして割り当ててもよい。
【００２１】
図３は、マイクロプロセッサ１０により実行されるコマンド処理を示している。このコマンド処理は、操作パネル２３またはリモコン２５の操作時に操作情報として得られるコマンドに基づいて実行される。この図３を参照してコマンド処理の概要を説明する。
【００２２】
コマンド処理が開始されると、始めにメインメニューキー操作があるかブロックＢ１１でチェックされる。このメインメニューキー操作が検出されると、メインメニュー画面がブロックＢ１２で表示される。このメインメニュー画面は、例えば「機器選択」、「機器操作」、「録画設定」、「フォトビューア」、及び「フォトフレーム」のような機能の選択項目を含む。メインメニュー画面の表示後、ブロックＢ１３で「フォトフレーム」を選択したかチェックされる。「フォトフレーム」の選択が検出されなければ、他の機能処理がブロックＢ１４で行われ、再びブロックＢ１１に戻る。
【００２３】
ブロックＢ１３で「フォトフレーム」が選択されると、この選択でフォトフレームの選択を含むフォトフレームモード(静止画面選択モード）の設定として判断され、ブロックＢ１５でフォトフレーム設定画面が表示される。このフォトフレーム設定画面には、例えば、「フォト選択」、「フォト編集」、「付加情報設定」、「開始」、及び「リターン」のような選択項目が表示される。これら項目の選択操作はブロックＢ１６〜Ｂ２０でチェックされる。ここで、「フォト選択」では、後に説明されるように、外部メモリ内の静止画を表示して取り込むべき静止画を選択して選択した静止画を取り込むことができる。
【００２４】
「フォト編集」の選択操作がブロックＢ１７で検出されると、フォト編集処理がブロックＢ２２で行われる。「付加情報設定」の選択操作がブロックＢ１８で検出されると、付加情報設定処理がブロックＢ２３で行われる。また、ブロックＢ２１〜Ｂ２３の処理が完了すると、ブロックＢ１５に戻される。「リターン」の選択操作がブロックＢ２０で検出されると、ブロックＢ１１に戻される。
【００２５】
フォトフレーム表示の「開始」を選択する操作がブロックＢ１９で検出されると、フォトフレーム表示処理がブロックＢ２４で行われる。即ち、フォトフレーム表示モード（静止画像表示モード）が設定されてフォトフレームの表示が実施される。フォトフレーム表示では、フラッシュメモリから選択された静止画像のデータがマイクロプロセッサ１０を介して信号処理部１６に供給される。信号処理部１６は、静止画像のデータをフレーム信号に変換してグラフィック処理部１７に供給する。グラフィック処理部１７では、後に述べる付加情報が付加画像としフレーム信号に付加されて映像処理部１９に供給される。従って、付加情報が付加されたフォトフレームとして表示される。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理は、この電源オフ手続きの実行後に終了する。他方、自動パワーオフ時間の経過がブロックＢ２５で検出されない場合には、ブロックＢ１１に戻される。
【００２６】
また、メインメニューキー操作がブロックＢ１１で検出されない場合には、クイックメニューキー操作があるかブロックＢ２７でチェックされる。このクイックメニューキー操作が検出されると、クイックメニュー画面がブロックＢ２９で表示される。このクイックメニュー画面は、例えば「機器選択」、「機器操作」、及び「フォトフレーム」のような機能の選択項目を含む。クイックメニュー画面の表示後、ブロックＢ３０で「フォトフレーム」を選択したかチェックされる。「フォトフレーム」の選択が検出されなければ、他のキー操作処理がブロックＢ２８で行われ、再びブロックＢ１１に戻る。「フォトフレーム」の選択が検出されると、これがフォトフレームモードの設定として判断され、フォトフレーム設定画面において「開始」の選択操作が検出された場合と同様に、フォトフレーム表示モード（静止画像表示モード）におけるフォトフレーム表示処理がブロックＢ２４で行われる。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理はこの電源オフ手続きの実行後に終了する。他方、自動パワーオフ時間の経過がブロックＢ２５で検出されない場合には、ブロックＢ１１に戻る。
【００２７】
図４（ａ）〜（ｅ）は、図３に示すコマンド処理で得られる表示画面の遷移を示している。図４（ａ）に示されるように放送番組を視聴中にメインメニューキー操作をすると、図４（ｂ）に示されるようにメインメニュー画面が放送番組の映像に中央で重なるようにしてディスプレイ２０に表示される。ここで、「フォトフレーム」の選択操作をすると、図４（ｃ）に示されるようにフォトフレーム設定画面が放送番組の映像及びメインメニュー画面の代わりに表示される。このとき、フォトフレーム設定画面でフォトフレームの表示開始の操作を選択すると、図４（ｄ）に示されるようにフォトフレーム画像がフォトフレーム設定の結果に従って表示される。また、このフォトフレーム表示では、例えばアナログ時計のような付加情報画像がお気に入りフォト画像のフォトフレームに重ねて表示されている。ちなみに、フォトフレームはディスプレイ２０の表示画面全体を占有する。
【００２８】
また、図４（ａ）に示されるように放送番組を視聴中にクイックメニューキー操作をすると、図４（ｅ）に示されるようにクイックメインメニュー画面が放送番組の映像に左端付近で重なるようにしてディスプレイ２０に表示される。フォトフレーム設定が既に完了している場合には、「フォトフレーム」の表示を選択すると、図４（ｃ）に示されるフォトフレーム設定画面の表示が省略され、図４（ｄ）に示されるように速やかにフォトフレーム表示がフォトフレーム設定の結果に従って行われる。尚、各表示画面は図４（ａ）〜（ｄ）に示すように戻るキー操作、終了キー操作、及びリターン操作のいずれかにより１つ前の画面に戻ることができる。チャネル番号キーであれば、放送番組の映像表示に戻る。
【００２９】
図５は図３に示すフォトフレーム表示処理を詳しく示す。マイクロプロセッサ１０は信号処理部１６、グラフィック処理部１７、ＯＳＤ信号生成部１８、および映像処理部１９に相当するフォト再生コンポーネントを制御対象としてこの表示処理を実行する。この表示処理では、フラッシュメモリ２６に登録されたお気に入りフォト画像がブロックＢ６１でフォトフレームとして持続的にディスプレイ２０に表示される。ちなみに、複数のお気に入りフォト画像がフラッシュメモリ２６に登録されている場合、これら複数のお気に入りフォト画像がスライドショー形式のフォトフレームとして持続的にディスプレイ２０に表示される。
【００３０】
ブロックＢ６２では、上述のフォトフレームに対する付加情報があるかチェックされる。付加情報があることが検出されると、「アナログ時計」、「デジタル時計」、「カレンダ」、「天気予報」、および「占い」がオンであるか、それぞれブロックＢ６３〜Ｂ６７でチェックされる。「アナログ時計」がオンであることがブロックＢ６３で検出されると、アナログ時計画像合成処理がブロックＢ６８で行われる。「デジタル時計」がオンであることがブロックＢ６４で検出されると、デジタル時計画像合成処理がブロックＢ６９で行われる。「カレンダ」がオンであることがブロックＢ６５で検出されると、カレンダ画像合成処理がブロックＢ７０で行われる。「天気予報」がオンであることがブロックＢ６６で検出されると、天気予報画像合成処理がブロックＢ７１で行われる。「占い」がオンであることがブロックＢ６７で検出されると、占い画像合成処理がブロックＢ７１で行われる。
【００３１】
付加情報が無いことがブロックＢ６２で検出された場合、およびフォトフレームに付加すべき全ての付加情報に関する画像合成処理の終了が検出された場合、フォト画像や付加情報画像がブロックＢ７３でディスプレイ２０の特性に依存して焼き付きを防止するために決定される基準時間を越えて表示されたかチェックされる。もしこの基準時間を越えていることが検出されれば、画像の表示位置がブロックＢ７４で所定ルールで僅かに変更される。このフォトフレーム表示処理はブロックＢ７４の実行後、または基準時間を越えていないことがブロックＢ７３で検出された後に終了する。
【００３２】
図６は図５に示すアナログ時計画像合成処理を詳しく示す。この画像合成処理では、放送波経由で時刻情報を取得できたかブロックＢ８１でチェックされ、さらにネットワーク経由で時刻情報を取得できたかブロックＢ８２でチェックされる。ブロックＢ８１またはＢ８２のいずれかで時刻情報（すなわち、付加情報の基礎データ）を取得できたことを検出した場合に、ブロックＢ８３が実行される。このブロックＢ８３では、付加情報設定処理で登録された指定位置、指定サイズ、指定透過度の設定情報をアナログ時計の画像素材情報と一緒にフラッシュメモリ２６から取得する。これに続くブロックＢ８４では、フォトフレームに指定位置で重なる指定サイズおよび指定透過度のアナログ時計画像を合成して表示する。このアナログ時計画像は取得した時刻情報（現在時刻の時分）対応するアナログ時計（付加情報）を表すように画像素材情報から合成される。他方、ブロックＢ８１およびＢ８２で時刻情報を取得できなかったことを検出した場合には、ブロックＢ８５が実行される。ブロックＢ８５では、時計表示不可の通知を一時的に表示する。アナログ時計画像合成処理はこのブロックＢ８４またはＢ８５の実行後に終了する。但し、フォトフレーム表示は、例えばリモコン２５のチャネルキー５６が操作されない限り継続する。
【００３３】
ここで、表示時刻は時計回路３５に従って１分単位に更新される。
尚、デジタル時計画像合成処理は、アナログ時計の画像素材情報がデジタル時計の画像素材情報に変更されることを除いて上述のアナログ時計画像合成処理と同様である。
【００３４】
図７は図５に示すカレンダ画像合成処理を詳しく示す。この画像合成処理では、放送波経由で日付情報を取得できたかブロックＢ９１でチェックされ、さらにネットワーク経由で日付情報を取得できたかブロックＢ９２でチェックされる。ブロックＢ９１またはＢ９２のいずれかで日付情報（すなわち、付加情報の基礎データ）を取得できたことを検出した場合に、ブロックＢ９３が実行される。このブロックＢ９３では、付加情報設定処理で登録された指定位置、指定サイズ、指定透過度の設定情報をカレンダの画像素材情報と一緒にフラッシュメモリ２６から取得する。これに続くブロックＢ９４では、フォトフレームに指定位置で重なる指定サイズおよび指定透過度のカレンダ画像を合成して表示する。このカレンダ画像は取得した日付情報（現在日付の年月日）に対応するカレンダ（付加情報）を表すように画像素材情報から合成される。続くブロックＢ９５では、ネットワーク経由で祝日情報が取得できたかチェックくされる。ここで、祝日情報が取得できたことを検出した場合には、ブロックＢ９６でカレンダの土曜日、日曜日、および祝日がこの祝日情報に基づいて平日に対して区別できる表示色に変更される。他方、ブロックＢ９１およびＢ９２で日付情報を取得できなかったことを検出した場合には、ブロックＢ９７が実行される。ブロックＢ９７では、カレンダ表示不可の通知を一時的に表示する。カレンダ画像合成処理は、このブロックＢ９６またはＢ９７の実行後、あるいはブロックＢ９５で祝日情報が取得できなかったことを検出した場合に終了する。但し、フォトフレーム表示は、例えばリモコン２５のチャネルキー５６が操作されない限り継続する。ここで、表示日付は時計回路３５に従って１日単位に更新される。
【００３５】
図８は図５に示す天気予報画像合成処理を詳しく示す。この画像合成処理では、放送波経由で天気情報を取得できたかブロックＢ１０１でチェックされ、さらにネットワーク経由で天気情報を取得できたかブロックＢ１０２でチェックされる。ブロックＢ１０１またはＢ１０２のいずれかで天気情報（すなわち、付加情報の基礎データ）を取得できたことを検出した場合に、ブロックＢ１０３が実行される。このブロックＢ１０３では、付加情報設定処理で登録された指定位置、指定サイズ、指定透過度の設定情報を天気予報の画像素材情報と一緒にフラッシュメモリ２６から取得する。これに続くブロックＢ１０４では、フォトフレームに指定位置で重なる指定サイズおよび指定透過度の天気予報画像を合成して表示する。この天気予報画像は取得した天気情報に対応する天気予報（付加情報）を表すように画像素材情報から合成される。この場合、天気画像は晴れ、雨、曇り等の記号であってよい。他方、ブロックＢ１０１およびＢ１０２で天気情報を取得できなかったことを検出した場合には、ブロックＢ１０５が実行される。ブロックＢ１０５では、天気予報表示不可の通知を一時的に表示する。天気予報画像合成処理はこのブロックＢ１０４またはＢ１０５の実行後に終了する。但し、フォトフレーム表示は、例えばリモコン２５のチャネルキー５６が操作されない限り継続する。
【００３６】
図９は図５に示す占い画像合成処理を詳しく示す。この画像合成処理では、放送波経由で占い情報を取得できたかブロックＢ１１１でチェックされ、さらにネットワーク経由で占い情報を取得できたかブロックＢ１１２でチェックされる。ブロックＢ１１１またはＢ１１２のいずれかで占い情報（すなわち、付加情報の基礎データ）を取得できたことを検出した場合に、ブロックＢ１１３が実行される。このブロックＢ１１３では、付加情報設定処理で登録された指定位置、指定サイズ、指定透過度の設定情報を占いの画像素材情報と一緒にフラッシュメモリ２６から取得する。これに続くブロックＢ１１４では、フォトフレームに指定位置で重なる指定サイズおよび指定透過度の占い画像を合成して表示する。この占い画像は取得した占い情報に対応する占い（付加情報）を表すように画像素材情報から合成される。この場合、占い画像は大吉、吉、凶などの占い記号でよい。他方、ブロックＢ１１１およびＢ１１２で占い情報を取得できなかったことを検出した場合には、ブロックＢ１１５が実行される。ブロックＢ１１５では、占い表示不可の通知を一時的に表示する。占い画像合成処理はこのブロックＢ１１４またはＢ１１５の実行後に終了する。但し、フォトフレーム表示は、例えばリモコン２５のチャネルキー５６が操作されない限り継続する。
【００３７】
図１０は、前記システムにおいてTVに内蔵された絵画データを表示し、表示した絵画の情報をユーザー操作によって表示したフォトフレーム起動画面イメージを示す。図６乃至図９と同様にネットワーク経由で、ここではTVに内蔵された絵画に関する情報を取得している。絵画に関する情報は例えばＴＶメーカと提携している印刷会社等の特定サイトから基礎データとして取得することができる。この情報はＲＯＭ３２に保持される。
【００３８】
デジタルテレビに搭載するフォトフレーム機能において表示される絵画に関する情報（タイトル、作者、作成年、説明文など）を表示可能にすることで、本やインターネットでユーザーが調べることなく絵画に関する情報を取得できる。図１０の例では右下端の領域ＡＲＥＡ１でタイトル、作者を表示し、この領域ＡＲＥＡ１に隣接する領域ＡＲＥＡ２で説明文を表示している。フォトフレーム起動画面においては、この絵画に関する情報と同時に前述の各種付加情報も重畳なきよう表示してもよい。領域ＡＲＥＡ１や領域ＡＲＥＡ２のサイズや表示場所、透過度、領域ＡＲＥＡ１と領域ＡＲＥＡ２とのいずれを表示するかなどは独自に、前述の各種付加情報と同様に予め設定できるようにしておいてもよい。またリモコン２５の操作ボタンを、例えば画面表示キー５８を押すたびにフォトフレーム起動、更に領域ＡＲＥＡ１の表示、更に領域ＡＲＥＡ２の表示、次は元に戻ってつまりフォトフレーム終了というステップを取るよう構成しておいてもよい。
【００３９】
上述の実施形態に係るテレビ受信装置によれば、フォトフレーム表示を行う表示システムを構成できる。この表示システムでは、フォトフレームモードが設定された場合に、不揮発性メモリに保持されるお気に入りフォト画像がフォトフレームとして表示され、画像表示処理がこのフォトフレームに対する付加情報の基礎データを取得し、この基礎データに対応する付加情報を表すように付加情報画像を合成し、表示されたフォトフレームに付加情報画像を重ねるために独自の付加情報設定に従って行われる。付加情報は例えば時計、カレンダ、天気予報、占いなどでよく、これらの基礎データは時刻情報、日付情報、天気情報、占い情報のテキストとして放送波やインターネット経由で取得可能である。また、独自の付加情報設定としては、例えば付加情報画像の位置、サイズ、透過度等を設定できる。なお更にこのような付加情報画像に加えフォトフレーム画像絵画に関する情報を表示し、フォトフレーム機能の利便性を向上できる。
【００４０】
尚、本発明は上述の実施形態に限定されず、様々に変形することも可能である。
上述の実施形態では、フラッシュメモリ２６を不揮発性メモリとして用いたが、例えばテレビ受信装置に録画用に接続されるハードディスクをこの不揮発性メモリとして用いてもよい。
【００４１】
また、複数のお気に入りフォト画像がフラッシュメモリ２６に登録された場合に、これらフォト画像をスライドショー形式のフォトフレームとして表示したが、フラッシュメモリ２６に登録された複数のフォト画像のうちのいずれか１つをさらに特定し、特定のフォト画像のみをフォトフレームとして表示してもよい。
【００４２】
ちなみに、上述の実施形態では、少なくとも１つのお気に入りフォト画像が内部メモリに対して登録済であれば、フォトビューア機能で必要とされるような格納フォルダや表示画像の指定を省略し、フォトフレーム表示を速やかに開始できる。フォトフレーム表示が無音声であれば、フォトフレーム機能はテレビ受信装置において放送番組の音声をミュートする音声ミュート機能の代わりとして利用できる。
【００４３】
また、例えば予めフラッシュメモリ２６等の内部メモリにお気に入りのフォト画像に関連付けてお気に入りの音楽データを記憶させ、お気に入りフォト画像をフォトフレームとして表示する際に音楽データをＢＧＭとして再生させてもよい。これにより、お気に入りの音楽とお気に入りフォト画像を同時に楽しむことができる。
【００４４】
さらに、ここで述べたシステムの様々なモジュールは、ソフトウェアアプリケーション、ハードウェアおよび／またはソフトウェアモジュール、もしくはサーバのような１以上のコンピュータ上のコンポーネンツで実現可能である。これら様々なモジュールは別々に記載されている一方で、基礎となるロジックやコードの全てあるいは一部に配分されてもよい。
【００４５】
以上の実施形態のポイントをまとめると次のようになる。
１．デジタルテレビのフォトフレーム機能において表示する絵画に関する情報を内蔵メモリに格納する。
２．絵画の情報を、特定のインターネットサイトから自動で取得する。
３．絵画表示中にユーザー操作で上記絵画の情報を表示する。
なお、この発明は上記実施形態に限定されるものではなく、この外その要旨を逸脱しない範囲で種々変形して実施することができる。例えば静止画像表示モードに関して説明したが、説明画像による説明の対象となる元の画像は動画でもよい。
【００４６】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４７】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２７…ＵＳＢコネクタ、２８…カードコネクタ、２９…ネットワーク通信回路、３２…ＲＯＭ、５０…メインメニューキー、５１…クイックメニューキー、５２…方向キー、５３…決定キー、５４…「戻る」キー、５５…「終了」キー、５６…チャネルキー。
【図１】
2015039046.tif 000003
【図２】
2015039046.tif 000004
【図３】
2015039046.tif 000005
【図４】
2015039046.tif 000006
【図５】
2015039046.tif 000007
【図６】
2015039046.tif 000008
【図７】
2015039046.tif 000009
【図８】
2015039046.tif 000010
【図９】
2015039046.tif 000011
【図１０】
2015039046.tif 000012